(57)【要約】【課題】  サイズ拡大に対応するために分離した前身頃と後身頃との間に生じる隙間に存する要所を確実に冷却又は加温可能となした衣服を提供する。【解決手段】  左前身頃部１３１及び右前身頃部１３２からなる対と、後身頃部１３３とを有すると共に、これらの境界において、互いが繋がっている接続部と分離されている分離部とを有し、分離部における対と後身頃部１３３同士が長さ調節自在なゴムバンド１１１等とアジャスタ１２１等を介して繋がっており、対と後身頃部１３３の内面側に所定の温度の流体を流通させるチューブ１０４等が配された、着用者の体温調節を行う衣服１００であって、着用時において分離部の対と後身頃部１３３の間に生じる隙間の少なくとも一部を覆うように対又は後身頃部１３３から延出されてなる延出部を有し、延出部の内面側にはチューブ１０４等が配されている。【選択図】  図２
2018193649.tif 000002
【特許請求の範囲】
【請求項１】
前身頃と後身頃とを有すると共に、これらの境界において、互いが繋がっている接続部と分離されている分離部とを有し、当該分離部における前記前身頃と前記後身頃同士が長さ調節自在な調節具を介して繋がっており、前記前身頃と前記後身頃の内面側に所定の温度の流体を流通させる流路が配された、着用者の体温調節を行う衣服であって、
着用時において前記分離部の前記前身頃と前記後身頃の間に生じる隙間の少なくとも一部を覆うように前記後身頃又は前記前身頃から延出されてなる延出部を有し、
前記延出部の内面側には前記流路が配されていることを特徴とする衣服。
【請求項２】
前記延出部に設けられた流路は、前記調節具の長さを最大に調節した場合においても前記隙間を跨ぐように配設されていることを特徴とする請求項１に記載の衣服。
【請求項３】
前記延出部は、延出方向の先端に近づくほど幅が狭くなっていることを特徴とする請求項１又は２に記載の衣服。
【請求項４】
前記調節具は弾性体であって、該弾性体が前記延出部に設けられた流路の少なくとも一部を覆う位置に設けられていることを特徴とする請求項１、２又は３に記載の衣服。
【請求項５】
前記延出部は、一対設けられており、互いを連結する連結具が設けられていることを特徴とする請求項１、２、３又は４に記載の衣服。
【発明の詳細な説明】
【技術分野】
【０００１】
本発明は、着用者の体温調節を行うサイズ調整自在な衣服に関する。
【背景技術】
【０００２】
近年、衣服の内側に冷水が通るチューブを配して、着用者の体温を下げ、熱中症の発生リスクを低減する製品が開発されている。
【０００３】
このような衣服の中には、図７（a）に示すように、前身頃１００１と後身頃１００２が脇の下の部分で分離され、その間がゴムバンド１００３とアジャスタ１００４等で繋がれてサイズ調整可能となっており、着用者の体型が変化しても無理なく着用できるベストタイプの衣服１０００がある。
【０００４】
この前身頃１００１と後身頃１００２とからなる胴部１００５の内面側にはチューブ１００６が設けられており、該チューブ１００６に冷水が流れることで着用者の体温を低下させることができる。
【先行技術文献】
【特許文献】
【０００５】
【特許文献１】特開２０１７−５７５１８号公開公報
【発明の概要】
【発明が解決しようとする課題】
【０００６】
しかしながら、体の大きな体型の人が衣服１０００を着用した場合、図７（b）に示すように、脇の下の部分が大きく開いてしまい、チューブ１００６が体に密着できない隙間１００７が生じてしまう。
【０００７】
しかしながら、前身頃１００１と後身頃１００２との境界であって、互いが分離されている脇の周辺には静脈が集中しているため、効果的に体温を下げるためには脇の下の部分１００７を冷やすことが望ましいが、図７に示した従来の衣服では、体型によっては脇の下の隙間１００７を冷やすことができないという問題点がある。
【０００８】
また、腕の脇に近い部分（二の腕の下部）にも静脈が集中していることから、この部分も冷却することが望ましいが、図７に示した袖部のないベストタイプの衣服１０００では、無論、腕の脇に近い部分を冷やすことができない。
【０００９】
本発明は、上記の点に鑑みてなされたものであって、着用者の体温調節を行うサイズ調整自在な衣服において、大柄なユーザーが着用した場合であっても、サイズ拡大に対応するために分離した前身頃と後身頃との間に生じる隙間に存する要所を確実に冷却又は加温可能となした衣服を提供することを目的とするものである。
【課題を解決するための手段】
【００１０】
而して、本発明の要旨とするところは、前身頃と後身頃とを有すると共に、これらの境界において、互いが繋がっている接続部と分離されている分離部とを有し、当該分離部における前記前身頃と前記後身頃同士が長さ調節自在な調節具を介して繋がっており、前記前身頃と前記後身頃の内面側に所定の温度の流体を流通させる流路が配された、着用者の体温調節を行う衣服であって、着用時において前記分離部の前記前身頃と前記後身頃の間に生じる隙間の少なくとも一部を覆うように前記後身頃又は前記前身頃から延出されてなる延出部を有し、前記延出部の内面側には前記流路が配されていることを特徴とする衣服にある。
【００１１】
また、上記構成において、前記延出部に設けられた流路は、前記調節具の長さを最大に調節した場合においても前記隙間を跨ぐように配設されていることが望ましい。
【００１２】
また、前記延出部は、延出方向の先端に近づくほど幅が狭くなるようになしてもよい。
【００１３】
また、前記調節具は弾性体であって、該弾性体が前記延出部に設けられた流路の少なくとも一部を覆う位置に設けられているようになしてもよい。
【００１４】
また、前記延出部は、一対設けられており、互いを連結する連結具が設けられているようになしてもよい。
【発明の効果】
【００１５】
本発明に係る衣服は上記の如き構成であり、前身頃と後身頃とが分離されている分離部において、着用時に隙間が生じている部分の少なくとも一部を覆うように前記後身頃又は前記前身頃から延出されてなる延出部を有し、前記延出部の内面側には前記流路が配されているため、体型が大きな人が着用した場合に、脇とその周辺に隙間が生じても、延出部がこの隙間における狙い場所を覆い冷却又は加温することができるので、多様な体型の人が着用しても、静脈が集中する要所を確実に冷却又は加温することができ、効率的に体温を調整することができる。
【００１６】
また、延出部に設けられた流路は、調節具の長さを最大に調節した場合においても隙間を跨ぐように配設されている場合には、本衣服が想定する最大サイズのユーザーであっても隙間内の狙いの場所を覆いきれずに冷却不足又は加温不足が生じることがなくなる。
【００１７】
また、延出部が延出方向の先端に近づくほど幅が狭くなっている場合には、重力の作用により先端が下向きに垂下するのを抑制することができるものである。
【００１８】
そして、調節具が弾性体であり、該弾性体が延出部に設けられた流路の少なくとも一部を覆う位置に設けられている場合には、流路をユーザーの肌に密着させることができ、効率よく体温調節を行うことができるものである。
【００１９】
また、延出部が一対設けられており、互いを連結する連結具が設けられている場合には、延出部が重力の作用により先端が下向きに垂下するのを抑制することができるものである。
【図面の簡単な説明】
【００２０】
【図１】本発明の第１実施形態に係る衣服とこれに冷水を供給する付随機器を説明する図である。
【図２】本発明の第１実施形態に係る衣服の展開図及び部分拡大断面図である。
【図３】本発明の第１実施形態に係る衣服の着用状態を示す図であり、（ａ）は前身頃を開いた状態、（ｂ）は小柄な人が着用した状態、（ｃ）は大柄な人が着用した状態を示すものである。
【図４】本発明の第２実施形態に係る衣服の展開図である。
【図５】本発明の第３実施形態に係る衣服の着用して前身頃を開いた状態を示す図である。
【図６】本発明の第４実施形態に係る衣服の正面図及び部分拡大図である。
【図７】着用者の体温調節を行うサイズ調整自在な衣服の従来例であり、（ａ）は小柄な人が着用した状態、（ｂ）は大柄な人が着用した状態を示すものである。
【発明を実施するための形態】
【００２１】
以下、本発明を実施するための形態について、図面を参照して説明する。
【００２２】
図１は、本発明の第１実施形態に係る衣服１００と、これに冷水を供給する付随機器であるチラー２００及び連絡ホース３０２、３０３を説明する図である。
【００２３】
チラー２００は、例えば、蒸気圧縮冷凍サイクルにより、取り込んだ水を冷却して再度外部に送出するものである。連絡ホース３０２はチラー２００から衣服１００に冷水を送るホースであり、また、連絡ホース３０３は衣服１００からチラー２００に冷水を送るホースである。また、連絡ホース３０２の衣服１００側先端には、ワッタッチで接続解除可能なカプラ３０１が装着されている。尚、連絡ホース３０３は、連絡ホース３０２と同構造であるため説明は省略する。
【００２４】
以下、本発明の第１実施形態に係る衣服１００について、詳細に説明する。
【００２５】
図２は、本発明の第１実施形態に係る衣服（図１の範囲Ａ）の一構成例を示す展開図である。
【００２６】
該衣服１００は、袖部のないベストタイプの衣服であり、主に表地１０１、中間地１０２、裏地１０３と、チューブ１０４、１０５、１０６、１０７と、ゴムバンド１１１、１１２、１１３、１１４、１１５、１１６と、アジャスタ１２１、１２２、１２３、１２４、１２５、１２６とからなるものである。
【００２７】
表地１０１、中間地１０２及び裏地１０３は布地からなり、基本的には形状が同一であって、各縁部同士が縫製されることにより互いが重なる状態で固定されている。
【００２８】
また、チューブ１０４、１０５、１０６、１０７は可撓性を有する樹脂チューブである。
【００２９】
また、表地１０１、中間地１０２及び裏地１０３の積層状態は、図２中のＡ-Ｂ断面に示す通りである。尚、Ｈ１、Ｈ２、Ｈ３、Ｈ４、Ｈ５、Ｈ６、Ｈ７、Ｈ８、Ｈ９、Ｈ１０はミシンによる縫製箇所を示している。
【００３０】
また、これらの縫製箇所の内Ｈ１及びＨ１０は、前述したように表地１０１、中間地１０２及び裏地１０３の縁部同士を縫い合わせて固定するためのものである。
【００３１】
一方、Ｈ２、Ｈ３、Ｈ４、Ｈ５、Ｈ６、Ｈ７、Ｈ８Ｈ、Ｈ９は、チューブを通す経路を形成するための縫製箇所であり、図２中Ａ-Ｂ断面に示すように、これらの縫製箇所に挟まれた部分に形成された筒状部分の夫々にチューブ１０４、１０５、１０６、１０７が挿入されている。即ち、縫製箇所Ｈ２乃至Ｈ９は、図２の展開図中に示されている各チューブに両脇に沿って伸びている。
【００３２】
尚、厳密にはチューブを上記筒状部分に挿入する作業性を向上させるため、チューブを曲げている部分及びチューブを直線的に挿入している箇所の一部に縫製していない部分も存在するが、本発明とは無関係であるため図示を省略する。
【００３３】
以下、裏地１０３及び中間地１０２がチューブ１０４乃至１０７を挟んでいる中間体1０６′について述べる。
【００３４】
中間体1０６′は、後身頃部１３３、左前身頃部１３１、右前身頃部１３２、襟部１１８、左脇延出部１３５、右脇延出部１３６とからなり、図２に示すように、後身頃部１３３には、チューブ１０４、１０５、１０６及び１０７が左前身頃部１３１にはチューブ１０６及び１０７が、右前身頃部１３２には、チューブ１０４及び１０５が、襟部１１８には、チューブ１０４及び１０６が、左脇延出部１３５にはチューブ１０６が、右脇延出部１３６にはチューブ１０４が設けられている。
【００３５】
図２に示す如く、後身頃部１３３、左前身頃部１３１及び右前身頃部１３２とからなる胴部１１７は、両脇部分において、後身頃部１３３と、左前身頃部１３１及び右前身頃部１３２とが分離された構造となっている。
【００３６】
後身頃部１３３と、左前身頃部１３１及び右前身頃部１３２とは、着用者の肩に当たる部分で繋がっている（接続部）が、図２は展開図のため不連続になっている。
【００３７】
実際には、裏地１０３及び中間地１０２のパーティングライン（以下「ＰＬ」という。）ＰＬ１とＰＬ２同士、ＰＬ３とＰＬ４とがチューブを通す以前に縫製されることにより繋がっている。
【００３８】
同様に、襟部１１８と左前身頃部１３１及び右前身頃部１３２との間も、ＰＬ５とＰＬ７同士、ＰＬ６とＰＬ８同士が縫製されることにより繋がっている。
【００３９】
左脇延出部１３５及び右脇延出部１３６は、後身頃部１３３の両側から延出されている部分であり、ユーザー着用時において静脈が集中する脇の下に当たるように設定されている。
【００４０】
左脇延出部１３５及び右脇延出部１３６は左右対称であるため、ここでは両者を代表して右脇延出部１３６について説明する。
【００４１】
右脇延出部１３６は、後身頃部１３３の右側から外側に向かって延出されている。
【００４２】
また、右脇延出部１３６は、本実施形態においては、延出方向の先端に近づくほど幅が狭くなっている。即ち、右脇延出部１３６は、根本部分の幅Ｗ１より先端近傍の幅Ｗ２の方が小さくなるように設定されている。
【００４３】
これはつまり、右脇延出部１３６の先端部部分を軽くすると共に、根本部分の強度や剛性を向上させることにより自重で下方に垂下せず、正規の形状を保てるようにするためのものである。
【００４４】
これにより、図３（ａ）に示すように、ユーザーが本実施形態に係る衣服１００を羽織れば、右脇延出部１３６の先端部が垂下することなく、自然に脇下に来るようにすることができる。  
【００４５】
図２に戻って、表地１０１は、中間体1０６′の外面を外傷から守ると共に、外気との熱交換を抑制するための、言わばカバーの役割を果たすものであり、その性格上、表地１０１の形状は中間体1０６′の形状と略同一である。
【００４６】
このため、表地１０１にも、中間体1０６′の後身頃部１３３、左前身頃部１３１、右前身頃部１３２、襟部１１８、左脇延出部１３５及び右脇延出部１３６に対して形状的に略一致する部分が存在する。
【００４７】
説明の都合上、表地１０１の上記相当部分は、上記符号の最後に小文字のｓを付加して説明することとする。
【００４８】
表地１０１の左前身頃部１３１ｓ及び右前身頃部１３２ｓの側方縁部に、夫々ゴムバンド１１４、１１５、１１６及びゴムバンド１１１、１１２、１１３が縫い付けられている。
【００４９】
本実施形態に係る衣服１００は、左前身頃部１３１ｓ及び右前身頃部１３２ｓと、後身頃部１３３ｓとが分離された部分（分離部）を有する構成となっている。
【００５０】
これは、着用者の体格が変化したとき、両肩の位置を基準として前後に胴部１１７の厚みを拡張するためである。
【００５１】
このサイズ調整は、左前身頃部１３１ｓ及び右前身頃部１３２ｓと、後身頃部１３３ｓとの間を分離してこそ上手くサイズ調整が可能となっている。
【００５２】
仮に、左前身頃部１３１ｓ及び右前身頃部１３２ｓと後身頃部１３３ｓとを分離せずに、左前身頃部１３１ｓと右前身頃部１３２ｓとの間をゴムバンド等で繋いでサイズ調整しようとしても、両肩から背中にかけての衣服サイズは全く変化しないため、大柄な人が着用した場合、腕を通している部分が後方に引っ張られ、場合によっては着用することすらできなくなるからである。
【００５３】
また、後身頃部１３３ｓには、その右側面にアジャスタ１２１、１２２、１２３が設けられていると共に、左側面にアジャスタ１２４、１２５、１２６が設けられている。
【００５４】
これにより、ゴムバンド１１１、１１２、１１３とゴムバンド１１４、１１５、１１６を、夫々アジャスタ１２１、１２２、１２３とアジャスタ１２４、１２５、１２６に通して、ゴムバンドを任意の長さに調節して固定することができる。
【００５５】
これにより、ユーザーは、図３（ｂ）及び図３（ｃ）に示すように、着用時において後身頃部１３３ｓと、左前身頃部１３１ｓ若しくは右前身頃部１３２ｓとの間にある隙間の間隔を自由に調節し、自分に合ったサイズの衣服とすることができる。
【００５６】
この調節時において、ゴムバンド１１３及びゴムバンド１１６は、丁度左脇延出部１３５及び右脇延出部１３６上に被さる位置に設けられている。
【００５７】
これにより、図３（ｃ）に示すように、大柄なユーザーが着用して脇の下に大きな隙間が生じた場合であっても、左脇延出部１３５及び右脇延出部１３６に設けられているチューブ１０４及びチューブ１０５をしっかりとユーザー側に押し当てることができる。
【００５８】
また、左脇延出部１３５及び右脇延出部１３６の長さＬは、ゴムバンド１１３及びゴムバンド１１６を最も長い状態に調節した際、即ち、衣服１００が想定する最も大きな体格のユーザー用に調節した際に、脇の下に生じる隙間を跨ぐことができる長さに設定されている。
【００５９】
これにより、左脇延出部１３５及び右脇延出部１３６が脇の下の部分を覆い被せなくなるケースが生じることがなくなる。
【００６０】
本実施形態の衣服１００は、上述したように、チラー２００によって、チューブ１０４、１０５とチューブ１０６、１０７内を冷水が循環するようになっている。
【００６１】
したがって、これらのチューブ１０４乃至１０７の近傍の温度を積極的に下げることになるが、これらのチューブ１０４乃至１０７が着用者の肌側に密着していないと熱抵抗が大きくなり、着用者の体温を効率的に冷やすことができなくなる。
【００６２】
本実施形態に係る衣服１００は、静脈の集中する脇の下の周辺部に当たるように設けられた左脇延出部１３５及び右脇延出部１３６を有しており、左脇延出部１３５及び右脇延出部１３６に設けられたチューブ１０６及びチューブ１０４をゴムバンド１１３及びゴムバンド１１６で肌側に押さえ付けることができるため、効率よく体温を低下させることができる。
【００６３】
また、上記の実施形態では、チューブ１０４、１０５、１０６、１０７がチラー２００に接続されており、これらのチューブの中を冷水が循環するようになしたが、これに限らず、例えば、水を加熱し循環させる装置に接続し、低温環境下において着用者の体温を上昇させる衣服として使用するようにしても構わない。
【００６４】
また、上記の実施形態では、衣服１００のサイズ調整にゴムバンド１１１乃至１１６とアジャスタ１２１乃至１２６を用いたが、ゴムバンド１１１乃至１１６に代えてばねを用いてもよく、更に、他の種類の弾性体に置き換えても構わない。
【００６５】
また、上記の実施形態では、衣服１００は、表地１０１を有していたが、これに限らず、表地１０１を省略しても構わない。
【００６６】
この場合、ゴムバンド１１１乃至１１６とアジャスタ１２１乃至１２６は、中間体1０６′に設けることになる。
【００６７】
このようにしても、中間体1０６′の上に作業着を着れば、表地１０１に近い機能を発揮することができる。
【００６８】
また、上記の実施形態では、中間地１０２及び裏地１０３は布地であり、両者を縫製により固定するようになしたが、これに限らず、例えば、両者をビニールシート製とし、縫製部分を熱溶着に代替しても構わない。
【００６９】
その場合、２本の熱溶着部分に挟まれる部分は密閉空間となり、水路として活用できるので、チューブを省略することができる。
【００７０】
また、上記の実施形態では、衣服１００のチューブに冷水を循環させていたが、これに限らず、水の代わりに不凍液を用いても構わず、更に、熱を搬送可能な流体であればどのようなものであっても構わない。
【００７１】
また、上記の実施形態では、前身頃が、左前身頃部１３１と右前身頃部１３２とに分かれているが、これに限らず、左前身頃部１３１と右前身頃部１３２とが一体になったものであっても構わない。
【００７２】
また、上記の第１実施形態に係る衣服１００では、左脇延出部１３５及び右脇延出部１３６を、いずれも後身頃部１３３に設けていたが、図４に示した第２実施形態のように、左前身頃部１３１及び右前身頃部１３２に、夫々左脇延出部４１５及び右脇延出部４１６を設ける構成の衣服４００としてもよい。尚、その他の構成並びに作用は、前記第１実施形態と同様であるから、同一の部材には同一の符号を付して詳細な説明は省略する。
【００７３】
また、上記の第１実施形態に係る衣服１００では、左脇延出部１３５及び右脇延出部１３６は、付け根部分の幅Ｗ１を太くして先端部の自重による垂下を防止していたが、図５に示した第３実施形態のように、左脇延出部１３５及び右脇延出部１３６との間を紐１３０で結ぶ構成としてもよい。また、この紐をゴムバンドとアジャスタとの組に置き換えても構わない。
【００７４】
また、上記の第１実施形態に係る衣服１００では、左脇延出部１３５及び右脇延出部１３６を胴部１１７の隙間の一部を覆うような形状となしているが、これに限らず、胴部１１７の隙間の全体若しくは大半を覆うような形状にしてもよい。
【００７５】
また、上記の第１実施形態に係る衣服１００は、袖部のないベストタイプであるが、図６に示す第４実施形態の如く、袖部があるタイプの衣服５００としてもよい。即ち、図６（ａ）に示すように、内面側にチューブ５０２が設けられた袖部５０１があるタイプの衣服５００としてもよい。
【００７６】
そして、その場合は、袖部の下部先端から脇、脇の下を通り裾に至るまで、連続的に前身頃と後身頃とが分離されているものである。
【００７７】
何故ならば、脇の下部分の前身頃と後身頃が分離している構造にもかかわらず、袖部の下部が分離されていない通常の袖部が付いている場合、図６（ｂ）に示すように、サイズの大きな人が着るほど前身頃と後身頃の間隔Ｃが大きくなるが、袖部が前身頃と後身頃とを脇の下で繋ぎとめているため、前身頃と後身頃との間隔が開くのを邪魔するからである。
【００７８】
そして、図６（ａ）に示すように、下部が分離された袖部を用いる場合、図６（ａ）に示すように、帯状の面ファスナ５０３、５０４等により、袖部の分離された部分の間隔を所望の長さに調整して繋ぎとめる構成をとることが一般的である。
【００７９】
ところで、このような袖部の下部が前後で分離されている場合、大柄な人では袖部の下に隙間Ｄが生じ、脇の周辺部が効率よく冷やされず、又は加温されないという問題点が生じる。
【００８０】
この問題点も前記第１実施形態に係る衣服１００に設けられた左脇延出部１３５及び右脇延出部１３６と同様の構造を用いて解決することができる。
【００８１】
即ち、図６（ｂ）に示すように、下部が分離された袖部５０１の分離された部分における脇の下に近い側に、一方の縁部から隙間Ｄを跨ぐように延出された延出部５１０を設けると共に、該延出部５１０の内面側にチューブ５０２を配することで、静脈が集中している脇の周辺部（二の腕の下部）を効率よく冷却若しくは加温することができるものである。尚、図６（ｂ）では、見易さの観点から面ファスナ５０３、５０４の図示を省略している。
【００８２】
また、本実施形態は、図示はしないが、上記の第１実施形態の延出部１３５、１３６と併用するようになしてもよい。
【符号の説明】
【００８３】
１００  衣服
１０４、１０５、１０６、１０７  チューブ
１０６′  中間体
１１１、１１２、１１３、１１４、１１５、１１６  ゴムバンド
１２１、１２２、１２３、１２４、１２５、１２６  アジャスタ
１１７  胴部
１３０  紐
１３１  左前身頃部
１３２  右前身頃部
１３３  後前身頃部
１３５、１３６  延出部
４００  衣服
４１５  左脇延出部
４１６  右脇延出部
５００  衣服
５０１  袖部
５０２  チューブ
５１０  延出部
【図１】
2018193649.tif 000003
【図２】
2018193649.tif 000004
【図３】
2018193649.tif 000005
【図４】
2018193649.tif 000006
【図５】
2018193649.tif 000007
【図６】
2018193649.tif 000008
【図７】
2018193649.tif 000009